(57)【要約】【課題】  優れた吸水効率を有するスポンジモップを提供する。【解決手段】  スポンジモップ２は、長い棒５０、台座ボディ６１及びふたつのローラー６２からなる押し出し器６０、スポンジ７０、連結棒装置８０で構成される。台座ボディ６１はボディ部６１２、予め定められた収容空間Ａを形成するふたつの延伸アーム６１３を有する。ローラー６２はそれぞれ軸棒６２１及び数個の筒ボディ６２２を有し、筒ボディ６２２の筒面は四つの大きさが同じで且つ筒ボディ６２２の一端からもう一端まで達する平面６２３及び四つの平面６２３に連接した円弧面６２４で構成される。連結棒装置８０は引き柄８１及びふたつの連結棒８２を有し、長い棒１０上の第一の位置からひとつの第二の位置まで往復振り子運動が可能で、連結棒８２はスポンジ７０を動かし、ローラー６２間の経路に沿って往復移動し、筒ボディ６２２筒面間の間隔の変化により多くの水分を絞る。【選択図】    図５
0003110062.tif 000002
【実用新案登録請求の範囲】
【請求項１】
スポンジモップであって、
一つの長い棒を有し、
一つの押し出し器は、一つの台座ボディ及び二つのローラーを含み、台座ボディは長い棒の一端に固定して設けられ、二つのローラーはそれぞれ一つの軸棒及び数個の筒ボディを含み、二つの軸棒は平行してその台座ボディ上に設けられ予め定められた間隔にあり、且つ筒ボディはそれぞれ二つの軸棒上に於いて被せ設けられ、
一つのスポンジを有し
一つの連結棒装置は、一つの引き柄及び少なくとも一つの連結棒を含み有し、引き柄は長い棒上に軸接続され、長い棒上で第一の位置から第二の位置まで往復回転が可能であり、
連結棒は一端がその引き柄上に軸接続され、他端は台座ボディの中に位置しスポンジと連結し、引き柄が第一の位置と第二の位置との間を往復振り子運動する際、連結棒はスポンジを動かし、二つのローラー間の経路に沿って通過し往復移動し、
筒ボディの筒外周壁上に沿って等間隔に筒ボディ一端から他端にまで数個の平面が分布していることを特徴とするスポンジモップ。
【請求項２】
筒ボディの筒面は四個の大小が同じで且つ筒ボディの一端からもう一端まで延伸された平面及び、四個の平面それぞれに連接した円弧面により構成されていることを特徴とする請求項１記載のスポンジモップ。
【請求項３】
筒ボディの外筒面は六個の大小が同じで且つ筒ボディの一端からもう一端まで延伸された平面、及び十二個の円弧面により構成され、且つそのうち二つ毎の円弧面は二つ毎の平面の間に於いて連接されていることを特徴とする請求項１記載のスポンジモップ。
【考案の詳細な説明】
【技術分野】
【０００１】
本考案は、掃除用品に関し、特にスポンジモップに関する。
【背景技術】
【０００２】
従来のスポンジモップ１は図１に示すように、長い棒１０、押し出し器２０、スポンジ３０及び連結棒装置４０を有する。そのうち、押し出し器２０は台座ボディ２１及び二つのローラー２２を有し、且つ台座ボディ２１は長い棒１０の一端に固定されている。
【０００３】
各ローラー２２は軸棒２２１及び数個の筒ボディ２２２を有し、二つの軸棒２２１は予め定められた間隔に依り台座ボディ２１上に平行して設けられる。且つ筒ボディ２２２はそれぞれ二つの軸棒２２１上に於いて被せ設けられている。連結棒装置４０は引き柄４１及び二つの連結棒４２を有し、引き柄４１は長い棒１０上に軸接続され、長い棒１０上の第一の位置から第二の位置までの往復振り子運動が可能である。
【０００４】
二つの連結棒４２のそれぞれの一端は引き柄４１上で軸接続され、もう一つの端は台座ボディ２１の中に位置してスポンジ３０に連結している。引き柄４１が第一の位置、第二の位置の間を往復回転するとき、二つの連結棒４２でスポンジ３０を二つのローラー２２間の経路に沿って通過し往復移動させる。
【０００５】
これにより、スポンジ３０は床上に残った水を吸い取ることに用いることが可能である。スポンジ３０は吸水飽和後、引き柄４１を第一の位置、第二の位置の間に於いて往復回転させることで、スポンジ３０はそれら二つのローラー２２間の経路に沿って通過し往復移動する。二つのローラー２２間の距離はそのスポンジ３０の幅よりも小さく、従ってスポンジ３０は二つのローラー２２を通過する際に二つのローラー２２により押し出される。且つ二つのローラー２２上の筒ボディ２２２はスポンジ３０の通過によって回転し、スポンジ３０中に吸収されていた水をスポンジ３０を押し出すことでそのスポンジ３０から出し、使用者が予め準備した一つの容器の中に流れ入れる。
【０００６】
この種の従来のスポンジモップ１の使用効能の優劣は、主にスポンジ３０の吸収効率によって決まっていた。即ち、スポンジ３０が二つのローラー２２によって押し出された後、それが含んでいた水分が少なく、次回の吸水量がより多いほど、吸水効率はより優れている。言い換えるならば、押し出し器２０は更に有効にそのスポンジ３０中に含まれる水分を押し出すことができれば、そのモップの使用効能はより良いと言える。
【考案の開示】
【考案が解決しようとする課題】
【０００７】
従来のスポンジモップでは、ローラー２２の筒ボディ２２２は円筒体であり、それぞれの筒ボディ２２２の筒面は一つの円周面であり、図２に示すように、筒ボディ２２２の筒面間の間隔は一つの固定された間隔である。スポンジ体がローラー２２を通過する際、一つの固定された不変の押し出し力を受ける。図２から図４に示すように、使用者が引き柄４１を引っ張り始め二つの連結棒４２でスポンジ３０が二つのローラー２２の間を通過して上に上がり始めたとき、スポンジ３０上段の押し出された部分の水分はそのスポンジ３０の中段、底段のまだ押し出されていない部分に流れ、図２の矢印の示すようになっている。スポンジ３０は継続して上に上がり中段部分が二つのローラー２２の間を通過したとき、中段部分の水分は、一部分は底段のまだ押し出されていない部分に流れ、もう一部分は上段により二つのローラー２２を離れ膨張し且つ比較的乾燥した部分に吸収され、それは図３の矢印の示すようになっている。スポンジ３０は継続して上に上がり移動し底段部分が二つのローラー２２の間に進入したとき、底部の押し出された部分の水分は、一部分はスポンジ３０から流れ出て、もう一部分はスポンジ３０上段、中段により二つのローラー２２を離れ膨張し且つ比較的乾燥した部分に吸収され、それは図４の矢印の示すようになっている。このように、スポンジ３０は幾度かの押し出し操作の後、まだ多くの水分を留め有し、再吸水量の低下をもたらし、吸水効率に影響していた。
したがって本考案の目的は、優れた吸水効率を有するスポンジモップを提供することにある。
【課題を解決するための手段】
【０００８】
上述の目的を達成するために本考案の請求項に記載のスポンジモップは、スポンジを押し出すためのそれぞれの筒ボディの外周壁上に、外周壁に沿って等距離に分布してその筒ボディの一端からもう一端まで延伸された数個の平面を有する。以ってモップのスポンジは比較的有効な押し出しを受けまたその中に於いて残留する水分を減少させることが可能となり、スポンジの再吸水量を増加させ、吸水効率を高めるのである。
【考案を実施するための最良の形態】
【０００９】
以下、本考案の実施例を図面に基づいて説明する。
図５は本考案の第一実施例によるスポンジモップを示す立体図である。
図６は本考案の第一実施例によるスポンジモップを示す側視図である。
図７から図９は本考案の第一実施例によるスポンジモップの作動示意図である。
図１０は本考案の第二実施例によるスポンジモップを示す立体図である。
図１１は本考案の第二実施例によるスポンジモップを示す側視図である。
【００１０】
図５、図６に示すように、本考案の第一実施例によるスポンジモップ２は、以下のものを含んでいる。
長い棒５０を含む。
押し出し器６０を含み、これは一つの台座ボディ６１及び二つのローラー６２を含む。台座ボディ６１は円筒状の被せ接続部６１１を有し、長い棒５０の一端に於いて接続して設けられ、リベットで長い棒５０と固定接続されている。台座ボディ６１は更にボディ部６１２を有し、ボディ部６１２は予め定められた間隔に相対する二つの延伸アーム６１３を有する。二つの延伸アーム６１３の間には収容空間Ａを形成している。二つのローラー６２はそれぞれ軸棒６２１及び数個の筒ボディ６２２を含み、二つの軸棒６２１は平行してそれぞれ台座ボディ６１の延伸アーム６１３上に設けられ予め定められた距離にある。筒ボディ６２２の筒面は四つの大きさが同じで且つ筒ボディ６２２の一端からもう一端まで達する平面６２３及び四つの平面６２３に連接した円弧面６２４で構成され、且つ筒ボディ６２２はそれぞれ二つの軸棒６２１上に於いて被せ設けられている。
【００１１】
スポンジ７０を含む。
連結棒装置８０を含み、これは引き柄８１及び二つの連結棒８２を有し、引き柄８１は長い棒１０上に於いて軸接続されている。長い棒１０上の第一の位置から一つの第二の位置まで往復振り子運動が可能である。二つの連結棒８２はそれぞれの一端が引き柄８１上に於いて軸接続され、もう一端は台座ボディ６１の収容空間Ａ中に位置し、それぞれスポンジ７０と連結している。引き柄８１が第一の位置、第二の位置の間を往復振り子運動する際、連結棒８２はスポンジ７０を動かし、ローラー６２間の経路に沿って往復移動し、スポンジ７０を収容空間Ａに進入或いは退出させる。
【００１２】
第一実施例によるスポンジモップ２は使用の際、使用者は長い棒５０を手で持ち、スポンジ７０で床面上に残った水を吸い取る。スポンジ７０が吸水飽和した後、引き柄８１を引っ張り動かしその第一の位置、第二の位置の間を往復振り子運動させる。スポンジ７０を二つのローラー６２間の経路に沿って往復移動させ、スポンジ７０を台座ボディ６１の収容空間Ａに進入或いは退出させる。二つのローラー６２間の間隔はスポンジ７０の幅よりも小さく、従ってスポンジ７０が二つのローラー６２を通過した際、二つのローラー６２により押し出される。更に二つのローラー６２上の筒ボディ６２２はそのスポンジ７０の通過に伴い回転し、スポンジ７０中に於いて吸収されている水をスポンジ７０から押し出しスポンジ７０から排出し、使用者が予め準備した一つの容器の中に流入する。
【００１３】
図７から図９に示すように、第一実施例による二つのローラー６２の筒ボディ６２２の筒面の設計は、スポンジ７０がローラー６２の間を通過することで回転する時、一つのローラーの筒ボディ筒面からもう一つのローラーの筒ボディ筒面までの間隔は変わることがない。使用者が引き柄８１を引き動かし始めると二つの連結棒８２はスポンジ７０を上に向って引き動かす。二つのローラー６２の間を通過し始めたとき、スポンジ７０上段はそれら筒ボディ６２２の円弧面６２４により押し出され、その部分の水分はそのスポンジ７０の中、底段のまだ押し出されていない部分に流れ、それは図７に示すようになっている。スポンジ７０が続いて上に上がると、押し出される部位は頂段からその中段に入る。筒ボディ６２２がスポンジ７０を押し出す部分は筒ボディ６２２の円弧面６２４から平面６２３へと変わる。この一つの過程の中で、ローラー６２の筒ボディ６２２筒面間の間隔は次第に大きく変化する。スポンジ７０の頂段部分は押し出される力が消失すると若干膨張するが、二つのローラー６２の筒ボディ６２２筒面間の間隔は次第に大きく変化し、スポンジ７０の中段の押し出される部分中の水分はそのスポンジ７０の頂段の膨張並びにその頂段中に吸入されたところまで至らず、スポンジ７０の底段のまだ押し出されていない部分に向って流動し、それは図８に示すようになっている。スポンジ７０は継続して上に向って移動し、押し出される部位は中段から底段に進入する。筒ボディ６２２がスポンジ７０を押し出す部位はそれら筒ボディ６２２の平面６２３から円弧面６２４へと変わる。この一つの過程の中に於いて、ローラー６２の筒ボディ６２２筒面間の間隔は次第に小さく変化し、スポンジ７０の底段中の水分はスポンジの中、頂段中に戻り流れることはできず、直接そのスポンジ７０の外に流れ出て、それは図８に示すようになっている。このように、スポンジ７０は比較的有効な押し出しを受けその中に於いて残留する水分を減少させることが可能で、スポンジ７０の再吸水量は増加し、吸水効率は向上する。
【００１４】
図６に示すように、第一実施例によるモップ２は一般状態にある時、スポンジ７０の挟み頭７１の両側面とそれら筒ボディ６２２の平面６２３は接触していて、使用者がモップ２で床を拭く際、スポンジ７０は比較的がたつきを生みにくい。
【００１５】
図１０、図１１に示すように本考案の第二実施例によるスポンジモップ３では、スポンジモップ３の筒ボディ９０の外筒面は六個の大小が同じで且つそれら筒ボディ９０の一端からもう一端にまで延伸された平面９１、及び十二個の円弧面９２により構成されている。そのうちそれぞれ二つ毎の円弧面９２はそれぞれ二つ毎の平面９１の間に於いて連接されている。これにより、スポンジモップ３のスポンジはより優れた押し出し排水効果を得ることが可能となる。
【図面の簡単な説明】
【００１６】
【図１】従来のスポンジモップを示す外観図である。
【図２】従来のスポンジモップの作動図である。
【図３】従来のスポンジモップの作動図である。
【図４】従来のスポンジモップの作動図である。
【図５】本考案の第一実施例によるスポンジモップを示す立体図である。
【図６】本考案の第一実施例によるスポンジモップを示す側面図である。
【図７】本考案の第一実施例によるスポンジモップの作動図である。
【図８】本考案の第一実施例によるスポンジモップの作動図である。
【図９】本考案の第一実施例によるスポンジモップの作動図である。
【図１０】本考案の第二実施例によるスポンジモップを示す立体図である。
【図１１】本考案の第二実施例によるスポンジモップを示す側面図である。
【符号の説明】
【００１７】
２  スポンジモップ、５０  長い棒、６０  押し出し器、６１  台座ボディ、６２  回転輪、７０  スポンジ、７１  挟み頭、８０  連結棒装置、８１  引き柄、８２  連結棒、９０  筒ボディ、９１  平面、９２  円弧面、  ６１１  被せ接続部、６１２  ボディ部、６１３  延伸アーム、６２１  軸棒、６２２  筒ボディ、６２３  平面、６２４  円弧面、Ａ  収め置き空間
【図１】
0003110062.tif 000003
【図２】
0003110062.tif 000004
【図３】
0003110062.tif 000005
【図４】
0003110062.tif 000006
【図５】
0003110062.tif 000007
【図６】
0003110062.tif 000008
【図７】
0003110062.tif 000009
【図８】
0003110062.tif 000010
【図９】
0003110062.tif 000011
【図１０】
0003110062.tif 000012
【図１１】
0003110062.tif 000013